(57)【要約】【課題】本発明は、金庫などの盗難対象物が盗難に遭遇したさいには犯人自体を撃退せしめ、その盗難を有効に防止せしめることが出来る、盗難防止装置を提供するものである。【解決手段】金庫など所要の盗難対象物２３に磁着せしめるべく磁石１２を備えたケ−シング２内に撃退用ガスを充填せしめたガスボンベ４が内蔵され、該ガスボンベ４には外方に撃退用ガスを噴射せしめるべくガス噴射手段８が接続されると共に、盗難対象物２３の変動異常を感知して該ガス噴射手段８を作動せしめるべく異常感知手段１０・１１が設けられている。【選択図】        図２
2004178224.tif 000002
【特許請求の範囲】
【請求項１】
金庫など所要の盗難対象物に磁着せしめるべく磁石を備えたケ−シング内に撃退用ガスを充填せしめたガスボンベが内蔵され、該ガスボンベには外方に撃退用ガスを噴射せしめるべくガス噴射手段が接続されると共に、盗難対象物の変動異常を感知して該ガス噴射手段を作動せしめるべく異常感知手段が設けられてなることを特徴とする、盗難防止装置。
【請求項２】
異常感知手段は盗難対象物における一定値の水平移動・垂直移動・振動・衝撃を感知すべく構成されてなることを特徴とする、請求項１記載の盗難防止装置。
【発明の詳細な説明】
【０００１】
【発明の属する技術分野】
本発明は、金庫、キャッシュディスペンサ−、あるいは自動販売機など所要の盗難対象物に取付けてその盗難を有効に防止せしめる盗難防止装置に関する。
【０００２】
【従来の技術、及び発明が解決しようとする課題】
従来より、この種の盗難防止装置としては、種々のものが提案されているが、その一例として、特開２００１−２０６１２号公報（特許文献１）には、金庫の背面に剛性を有するバ−状部材を取付け、該部材を他の設置物に挟持せしめることにより金庫の盗難を防止せしめるべく構成されたものが提案されている。
しかしながら、上述のごとく構成された従来例は、金庫の背面に取付けたバ−状部材を他の設置物に挟持せしめるにすぎないものであるから、挟持する設置物を移動せしめたり、あるいは、バ−状部材を電動工具などにより切断して金庫自体を持ち去るおそれがあり、近時の巧妙で荒々しい犯行には対処することが出来ないものである。
【０００３】
また、特開平６−１０８７４１号公報（特許文献２）には、インクを貯留せしめるインクタンクと、金庫の異常取扱いを検出する異常検出手段と、インクを金庫内に散布せしめる散布手段とを備え、金庫の異常取扱い時には異常検出手段により検知して散布手段でもってインクを金庫内に散布せしめるべく構成されたものが提案されている。
しかしながら、上述のごとく構成された従来例は、金庫の異常取扱い時にインクを散布せしめて収容する紙幣等を汚損せしめ、事後的にその使用を不能にせしめるものであるから、盗難後においてはともかく、金庫の盗難自体を防止することが出来ないのみならず、収納する他の重要書類を汚損せしめるおそれがあるものである。
【０００４】
さらに、特開２００１−２１６３３号公報（特許文献３）には、金庫やキャッシュディスペンサ−本体に発振器を設け、該発振器からの信号を総合基地局に送出する基地局と、指示のあった発振器の位置情報を送出する総合基地局とを備え、本体にはその移動を検知するスイッチを設け、該スイッチが本体の移動を検知した時にスイッチ部によって発振器の発振を開始せしめるべく構成されたものが提案されている。
しかしながら、上述のごとく構成された従来例は、金庫やキャッシュディスペンサ−の盗難後においてはその発見を容易に行なうことが出来る反面、金庫などを破壊して金銭や重要書類を持ち去る場合には対応することが出来ず、必ずしも充分な盗難防止効果を期待し得ないものである。
【０００５】
【特許文献１】
特開２００１−２０６１２号公報
【特許文献２】
特開平６−１０８７４１号公報
【特許文献３】
特開２００１−２１６３３号公報
【０００６】
本発明は従来の問題点を解決し、金庫などの盗難対象物が盗難に遭遇したさいには犯人自体を撃退せしめ、その盗難を有効に防止せしめることが出来る、盗難防止装置を提供しようとするものである。
【０００７】
【課題を解決するための手段】
上記の目的を達成するため、本発明の請求項１記載の発明は、金庫など所要の盗難対象物に磁着せしめるべく磁石を備えたケ−シング内に撃退用ガスを充填せしめたガスボンベが内蔵され、該ガスボンベには外方に撃退用ガスを噴射せしめるべくガス噴射手段が接続されると共に、盗難対象物の変動異常を感知して該ガス噴射手段を作動せしめるべく異常感知手段が設けられてなることを特徴とする、盗難防止装置を要旨とするものである。
【０００８】
上記請求項１記載の盗難防止装置において、異常検知手段は盗難対象物における一定値の水平移動・垂直移動・振動・衝撃を感知すべく構成されている。
【０００９】
【発明の実施の形態】
以下に、本発明の実施の形態を図面に示す一実施例に基づいて説明する。
図１乃至図３は本発明の一実施例を示すもので、同図中、１は後記する金庫２３に磁着自在とされた盗難防止装置、２は該盗難防止装置１を構成する偏平な方形体状のケ−シング、３は該ケ−シング２の一側に配設されたカ−ドキ−認識装置、４はケ−シング２に着脱自在に内蔵された催涙ガスボンベ、５は該催涙ガスボンベ４の口部に取付けられたガス噴射用トリッカ、６は該トリッカ５にパイプ７を介して接続された圧力調整分配装置、８は該圧力調整分配装置６に分配パイプ９を介して接続された所要数のガス噴霧用ノズルで、該各ガス噴霧用ノズル８は催涙ガスを外方に噴霧せしめるべくケ−シング２の裏面がわに突設せしめられている。１０はケ−シング２における一定値以上の前後方向角度および振動・衝撃を感知せしめるべくケ−シング２内の上端部にセットされた第１異常感知スイッチ、１１はケ−シング２における一定値以上の水平方向角度および振動・衝撃を感知せしめるべくケ−シング２内の下端部にセットされた第２異常感知スイッチである。１２は後記する金庫２３の背面などに強固に磁着せしめるべくケ−シング２の背面両側に各々固着された両側一対の強磁性磁石、１３は機器強制取外し用起動スイッチ、１４は後記する制御回路１５を駆動せしめるべくケ−シング２内にセットされた駆動用蓄電池である。
【００１０】
１５は盗難防止装置１を制御せしめる制御回路、１６は該制御回路１５を駆動せしめる前記蓄電池１４に接続されたセキュリティ−停止用カ−ドスイッチで、該セキュリティ−停止用カ−ドスイッチ１６は前記催涙ガス噴射用トリッカ５に接続せしめられている。１７は蓄電池１４に接続された第１異常感知スイッチ１０を構成する一対のマグネットスイッチ、１８は該マグネットスイッチ１７を作動せしめるべくストッパ−１９を介して転動自在に配設されたマグネット球、２０は蓄電池１４に接続された第２異常感知スイッチ１１を構成する一対のマグネットスイッチ、２１は該マグネットスイッチ２０を作動せしめるべくストッパ−２２を介して転動自在に配設されたマグネット球である。そして、上記各マグネットスイッチ１７・２０には催涙ガス噴射用トリッカ５と機器強制取外し用起動スイッチ１３が各々接続されている。その他、２３は所要の場所に設置された金庫を示す。
【００１１】
次に、上述のごとく構成された盗難防止装置１の作動について説明する。
先ず、カ−ドキ−認識装置３に所要のカ−ドキ−（図示略）を挿入せしめ、盗難防止装置１を水平・垂直状態に保持せしめつつ、金庫２３の背面などに磁石１２を介して磁着せしめたのち、カ−ドキ−を抜き去る。すると、セキュリティ−停止用カ−ドスイッチ１６が起動し、監視状態に入る。そして、金庫２３が盗難に遭遇し、例えば、金庫２３を破壊して金品を強奪すべくハンマ−など所要の工具により打撃せしめたり、あるいは金庫２３を持ち出すべく移動せしめると、その振動・衝撃や水平・垂直角度の変動が金庫２３を介して盗難防止装置１に伝わる。そして、振動・衝撃や水平・垂直角度の変動が一定値に達すると、マグネット球１８・２１がストッパ−１９・２２より外れ、第１・第２異常感知スイッチ１０・１１を構成する両側マグネットスイッチ１７・２０の一方に接近して磁力により起動せしめる。すると、マグネットスイッチ１７・２０の起動によりガス噴射用トリッカ５が作動して催涙ガスボンベ４のガス弁（図示略）を開き、パイプ７を介して充填する催涙ガスを圧力調整分配装置６に流入せしめて均等圧力に調整せしめつつ、分配パイプ９を介して催涙ガスを各ガス噴霧用ノズル８より外方に噴霧せしめて犯人を撃退し、盗難を有効に防止せしめる。
【００１２】
また、盗難防止装置１を金庫２３より強制的に取外そうとする場合には、機器強制取外し用起動スイッチ１３が起動し、ガス噴射用トリッカ５を作動せしめて催涙ガスボンベ４のガス弁（図示略）を開き、上述と同様に催涙ガスを各ガス噴霧用ノズル８より外方に噴霧せしめて犯人を撃退し、盗難を有効に防止せしめることが出来るものである。
【００１３】
なお、上記実施例において、ケ−シング２に催涙ガスボンベ４を内蔵するものとされているが、これに限定されるものでなく、煙幕ガスや悪臭・異臭ガスなど撃退用ガスを充填せしめたガスボンベを内蔵せしめてもよいものである。また、実施例の適用例として金庫２３を示したが、これに限定されるものでなく、キャッシュディスペンサ−、自動販売機、その他の盗難対象物にも適用せしめることが出来るものである。さらに、盗難防止装置１は金庫２３の背面など所要の外面に磁着せしめるものとされているが、これに限定されるものでなく、内部にセットせしめてもよいものであり、他の盗難対象物についても同様である。
【００１４】
【発明の効果】
本発明によれば以上の次第で、金庫など所要の盗難対象物に磁着せしめるべく磁石を備えたケ−シング内に撃退用ガスを充填せしめたガスボンベが内蔵され、該ガスボンベには外方に撃退用ガスを噴射せしめるべくガス噴射手段が接続されると共に、盗難対象物の変動異常を感知して該ガス噴射手段を作動せしめるべく異常感知手段が設けられているから、金庫など所要の盗難対象物の外部や内部に適宜磁着せしめることにより簡単に取付け、盗難対象物が盗難に遭遇したさいにはその変動異常を異常感知手段により感知せしめると共に、ガスボンベに充填する撃退用ガスをガス噴射手段により外方へ噴射せしめ、犯行中の犯人を撃退して盗難を有効に防止せしめることが出来るものである。
【図面の簡単な説明】
【図１】本発明の一実施例を示す背面図である。
【図２】図１の一部破断側面図である。
【図３】実施例の盗難防止装置１を制御せしめる制御回路１５である。
【符号の説明】
１    盗難防止装置
２    ケ−シング
４    催涙ガスボンベ
５    トリッカ
８    ノズル
１０  第１異常感知スイッチ
１１  第２異常感知スイッチ
１２  磁石
１５  制御回路
１７・２０  マグネットスイッチ
２３  金庫
【図１】
2004178224.tif 000003
【図２】
2004178224.tif 000004
【図３】
2004178224.tif 000005